(57)【要約】【課題】  機構が簡単で小型化できるスマートフォンに好適な絞り装置（アイリス）を提供する【解決手段】  絞り装置１は、光路開口31よりも小さい中開口51を有する中開口絞り板５と、前記中開口51よりも小さい小開口61を有する小開口絞り板６とを備える。両絞り板５・６は、上下ベースプレート３の間に挟まれて、各々の開口51・61が光路開口31と重なった位置と退避した位置との間で回動する。絞り板５・６は、各絞り板５・６の反開口側端部（元部57・67）をカム４が押すことにより回動する。【選択図】  図１
2016126035.tif 000002
【特許請求の範囲】
【請求項１】
光路開口を有し、互いに対向する一対のベースプレートと、
前記光路開口よりも小さい中開口を有し、前記一対のベースプレートの間に挟まれて回動する中開口絞り板と、
前記中開口よりも小さい小開口を有し、前記一対のベースプレートの間に挟まれて回動する小開口絞り板と、
前記中開口絞り板及び前記小開口絞り板の反開口側端部を押して、各絞り板を、各々の開口が前記光路開口と重なった位置と退避した位置との間で回動させるカムと、
該カムを回動駆動する、前記一対のベースプレートの一方に搭載されたモータと、
を具備することを特徴とする絞り装置。
【請求項２】
前記各絞り板の開口側端部に、該開口から先に延び出すスライド片が突設されており、
前記ベースプレートの対向面に、前記スライド片を摺動支持するスライドレール部が形成されていることを特徴とする請求項１記載の絞り装置。
【請求項３】
前記ベースプレートの元側の隅は、互いに直角に交差する二つの元側隅辺からなり、
該二つの元側隅辺の内側には、前記カム、及び、前記絞り板の反開口側端部が収められており、
前記元側隅辺の先側には、互いに平行に対向する二つの傾斜辺が延びており、
該二つの傾斜辺の内側には、前記光路開口、及び、前記絞り板の開口が収められており、
前記傾斜辺の先側には、面取り辺を間に挟んで直角に配設されている二つの先側隅辺が延びていることを特徴とする請求項１に記載の絞り装置。
【請求項４】
前記ベースプレートの元側の隅は、互いに直角に交差する二つの元側隅辺からなり、
該二つの元側隅辺の内側には、前記カム、及び、前記絞り板の反開口側端部が収められており、
前記元側隅辺の先側には、互いに平行に対向する二つの傾斜辺が延びており、
該二つの傾斜辺の内側には、前記光路開口、及び、前記絞り板の開口が収められており、
前記傾斜辺の先側には、面取り辺を間に挟んで直角に配設されている二つの先側隅辺が延びており、
前記二つの先側隅辺の内側には、前記各絞り板のスライド片がスライド可能に収められていることを特徴とする請求項２に記載の絞り装置。
【発明の詳細な説明】
【技術分野】
【０００１】
本発明は、いわゆるスマートフォンなどの携帯電話の搭載カメラに適した、小型で絞り開口の真円度の高い絞り装置（アイリス）に関する。
【背景技術】
【０００２】
携帯電話搭載カメラ用の光路絞り装置としては、特許文献１に「従来の技術」として記載されている絞り羽根機構のものが典型的である。この絞り羽根機構は、六枚の羽根を光軸に近接・離隔する方向に駆動して、各羽根の内側の縁が形作る開口の大きさを変えるものである。ただし、この絞り羽根機構の絞り装置は、機構が複雑であるし、開口の真円度が高くない。
【先行技術文献】
【特許文献】
【０００３】
【特許文献１】特開２０１２−１２３４１５号公報
【発明の開示】
【発明が解決しようとする課題】
【０００４】
本発明は、機構が簡単で小型化でき、スマートフォンに好適な、絞り開口の真円度の高い絞り装置（アイリス）を提供することを目的とする。
【課題を解決するための手段】
【０００５】
本発明の一つの絞り装置は、  光路開口を有し、互いに対向する一対のベースプレートと、  前記光路開口よりも小さい中開口を有し、前記一対のベースプレートの間に挟まれて回動する中開口絞り板と、  前記中開口よりも小さい小開口を有し、前記一対のベースプレートの間に挟まれて回動する小開口絞り板と、  前記中開口絞り板及び前記小開口絞り板の反開口側端部を押して、各絞り板を、各々の開口が前記光路開口と重なった位置と退避した位置との間で回動させるカムと、  該カムを回動駆動する、前記一対のベースプレートの一方に搭載されたモータと、を具備することを特徴とする。
【０００６】
中開口絞り板及び小開口絞り板の反開口側端部を、各々の開口が光路開口と重なった位置と退避した位置との間で回動させる動作を、各絞り板の反開口側端部を押すカムによって行うので、絞り装置の機構が簡単で小型化できる。
【０００７】
上記絞り装置においては、  前記各絞り板の開口側端部に、該開口から先に延び出すスライド片が突設されており、  前記ベースプレートの対向面に、前記スライド片を摺動支持するスライドレール部が形成されていることが好ましい。このスライド片の存在により、絞り板の開口付近が、上下ベースプレート間でふらつくことが防止できる。
【０００８】
上記絞り装置においては、  前記ベースプレートの元側の隅は、互いに直角に交差する二つの元側隅辺からなり、  該二つの元側隅辺の内側には、前記カム、及び、前記絞り板の反開口側端部が収められており、  前記元側隅辺の先側には、互いに平行に対向する二つの傾斜辺が延びており、  該二つの傾斜辺の内側には、前記光路開口、及び、前記絞り板の開口が収められており、  前記傾斜辺の先側には、面取り辺を間に挟んで直角に配設されている二つの先側隅辺が延びていることが好ましい。さらに、前記二つの先側隅辺の内側には、前記各絞り板のスライド片がスライド可能に収められていることが好ましい。
【０００９】
このようなベースプレートの形状と、内部部品の配置により、よりコンパクトなスマートフォン搭載カメラ用の絞り装置を実現できる。
【発明の効果】
【００１０】
以上の説明から明らかなように、本発明によれば、機構が簡単で小型化でき、絞り開口の真円度の高い絞り装置（アイリス）を提供できる。
【図面の簡単な説明】
【００１１】
【図１】本発明の実施の形態に係る絞り装置（スマートフォン用カメラ用）の構成・絞り開放状態（大開口時）を示す内部平面図である。
【図２】図１の係る絞り装置の中開口絞り時の状態を示す内部平面図である。
【図３】図１の係る絞り装置の小開口絞り時の状態を示す内部平面図である。
【図４】図１の絞り装置の外観を示す斜視図である。
【図５】図１の絞り装置の一部分解斜視図である。
【符号の説明】
【００１２】
LA；光軸
１；絞り装置、２；モータ、21；脚部
３；ベースプレート、31；光路開口、32；先側スライドレール部、
33；元側スライドレール部、34；ピン、
37b・h；先側隅辺（一部に押さえプレートの位置決め部）、
37c・g；傾斜辺、37d・f；元側隅辺、37e;四分の一円周部、
37x・37y；アーム逃げ、38；縁、39；押さえプレートの給合部
４；カム、41；アーム押し部、43；円弧部
５；中開口絞り板、51；中開口
６；小開口絞り板、61；小開口
52・62；スライド片、53・63；ピン、54・64；アーム部、55・65；回動中心ピン、
57・67；元部（反開口側端部）、57b・67b；カム当接辺
７；捩りバネ、71；コイル部、73；延出部
13；ネジ
【発明を実施するための形態】
【００１３】
以下、本発明の実施の形態について、図面を参照しながら説明する。
まず、図４を参照しつつ、絞り装置１全体の外部から見える構成について説明する。図４において、隅にモータ２を搭載した平たい面状の多角形のものが、ベースプレート３である。ベースプレート３の中心部には、光路開口31が開いている。この光路開口31の中心を光軸LAが通っている。図４において（他の図においても同じ）、光軸LAに沿う図の右方向（モータ２の立ち上がっている方向）を「上」といい、左方向（反モータ方向）を「下」という。また、ベースプレート３に沿う面において、モータ２に近い側を「元」といい、モータ２から離れる方向を「先」という。
【００１４】
ベースプレート３は、二枚のプレート（上ベースプレート３Ａと下ベースプレート３Ｂ）が対向して組み合わされたものである（次述するモータ２を固定するネジ13が上下両ベースプレートを連結している）。ベースプレート３は、上下プレート間に、図１〜３に示す絞り板５・６などの部品を内蔵している。
【００１５】
ベースプレート３の隅の部分には、ベースプレート３上面から光軸LAに平行に立ち上がるように、モータ２が取り付けられている。このモータ２は、小型（寸法例φ4.6mm×Ｌ５mm）のステッピングモータである。モータ２は、そのケースの端部に設けられた脚部21をベースプレート３の上面に当てて、ネジ13でベースプレート３に固定されている。このモータ２が、後述するカム４を回動させ、それに応じて絞り板５・６が回動する。
【００１６】
次に、図１を参照して説明する。
図１に示すように、ベースプレート３は略７角形の、縁38を有する板である。ベースプレート３は、別言すれば、全体として正方形の平面形状を、元側の隅（アールはある）を除く３隅を大きくカットした形態である。
【００１７】
ベースプレート３の周囲は、以下の辺で構成されている。元側の隅辺37d・fは、四分の一円周部37eを間に挟んで直角に交差する。元側隅辺37d・fの内側には、カム４や、絞り板５・６の元部（反開口側端部）57・67、アーム部54・64が収められている。なお、元側隅辺37d・fの一部は、縁38の切り欠かれたアーム逃げ37x・37yとなっていて、絞り板５・６の元部57・67との当たりを避けている。
【００１８】
平行に対向する傾斜辺37c・gは、元側の隅辺37d・fの先に、ほぼ45度傾斜している。両傾斜辺37c・fの内側に、光路開口31や、絞り板５・６の開口部51・61、先側スライドレール部32などが存在する。先側の隅辺37b・hは、面取り辺37aを間に挟んで直角に配設されている。先側隅辺37b・hの内側には、各絞り板５・６のスライド片52・62がスライド可能に収められている。このようなベースプレート３の形状と、内部部品の配置により、コンパクトなスマートフォン搭載カメラ用の絞り装置１を実現している。
【００１９】
ベースプレート３の内面（上下のベースプレートの対向する面）には、平面視略円弧状でリブ状に盛り上がる、二列のスライドレール部（先側スライドレール部32・元側スライドレール部33）が形成されている。このスライドレール部32・33上を、あるいは上下のベースプレートに形成された対向する上下のスライドレール部32・33の間に挟まれて、絞り板５・６がスムーズに摺動する。
【００２０】
ベースプレート３の光路開口31の元側には、捩りバネ７を止めるピン34が突設されている。また、ベースプレート３の傾斜辺37c・gには、押さえプレートの給合部39が形成されている。
【００２１】
次に、光路開口31を絞る絞り板について説明する。
一方の絞り板５は、本願でいう中開口絞り板５である。すなわち、中開口絞り板５は、光路開口31の径よりも一段小さい径の中開口51を有する。そして、中開口絞り板５は、前述の一対のベースプレート３の間に挟まれて、中開口51が光路開口31と重なった位置と、該光路開口31から退避した位置との間で回動する。
【００２２】
中開口絞り板５は、全体として先太で元曲がりのアーム状の部材である。中開口絞り板５は、先側から元側に向かって、スライド片52、中開口51、アーム部54、元部（反開口側端部）57の各部からなる。中開口51は、円形の孔であり、その周りは、孔内径面による乱反射を防止するための薄い縁部51bとなっている。縁部51bの先側（開口側端部）には、先方向に延び出す略三角形のスライド片52が突設されている。このスライド片52は、上下のベースプレート３の対向面（内面）にリブ状に盛り上がるように形成された先側スライドレール部32を摺動する。このスライド片52の存在により、中開口51が、上下ベースプレート３間でふらつくことが防止できる。
【００２３】
中開口51の元側のアーム部54は、元側にほぼ真っ直ぐに延びている。アーム部54の中開口51寄りには、捩りバネ７の当たるピン53が突設されている。アーム部54の元側の根元には、回動中心ピン55が嵌合している。中開口絞り板５は、この回動中心ピン55の周りに、後述するカム４に駆動されて、回動する。アーム部54は、上下のベースプレート３の対向面（内面）にリブ状に盛り上がるように形成された元側スライドレール部33を摺動する。この元側スライドレール部33と、前述の先側スライドレール部32によって、中開口絞り板４の中開口51の両側がベースプレート３に両持ち支持され、中開口51が上下ベースプレート３間でふらつくことが防止できる。
【００２４】
中開口絞り板５のアーム部54の元側の元部57は、アーム部54の元側端部から、斜め内側に突出している。元部57は、略三角形で、内側（元側の辺37dから遠い奥の方）の辺がカム当接辺57bとなっている。
【００２５】
小開口絞り板６は、前述の中開口絞り板５の中開口51よりもさらに一段小径の小開口61を有する。小開口絞り板６の形状は、開口寸法を除いて、中開口絞り板５と線対称である。また、小開口絞り板６の構成は、中開口絞り板５と同じであり、同じ構成の部分については、中開口絞り板５の各部符号に１０を足した符号で示してある。
【００２６】
次に、各絞り板５・６を駆動するカム４について説明する。
カム４は、両絞り板５・６の元部57・67の間に配設されている。カム４は、図１に示す先側が台形状に突出したアーム押し部41となっている。カム４のアーム押し部41以外の外周部分は、略円形の円弧部43である。カム４の中心部には、モータ軸25の嵌合する駆動孔45が開けられている。このモータ軸25の回動によりカム４が回動し、それによって、アーム押し部41が、絞り板５・６のいずれかの元部57・67のカム当接辺57b・67bを押して、絞り板５・６を、それぞれの中開口51・小開口61が光路開口31と重なる位置と、該光路開口31から退避した位置との間で回動させる。なお、カム４は、低摩擦係数の摺動グレード樹脂材製である。
【００２７】
捩りバネ７は、そのコイル部71が、前述のベースプレート３のピン34に嵌合している。そして、コイル部71からは左右（各絞り板５・６に向かう方向）に延出部73に延び出している。延出部73は、各絞り板５・６のピン53・63の内側に当接している。これにより、捩りバネ７は、各絞り板５・６を、光路開口31から遠ざかる（左右に離れる）方向に付勢している。
【００２８】
次に、この実施形態の絞り装置１の全体的な動作を説明する。
図１は、カム４のアーム押し部41は、先側を向いており、両絞り板５・６のいずれにも当接していない状態である（各絞り板の元部57・67の内側辺57b・67bはカム４の円弧部43に当接している）。このとき、両絞り板５・６は、捩りバネ７に外側に押されて、それらの開口51・61は、光路開口31から外れた位置にある。これにより、光路開口31は、最も大きい状態（絞りの開いた状態）である。
【００２９】
図２は、カム４が時計回りに回動して（ステッピングモータ２によってモータ軸25で駆動されて）いる。これにより、カム４のアーム押し部41は、図の左側（中開口絞り板５側）を向いており、中開口絞り板５の元部57を押している。これにより、中開口絞り板５は、ピン55を中心に反時計方向に回動している。そして、中開口絞り板５の中開口51は、光路開口31上に重なっており、中程度の絞り状態となっている。なお、中開口絞り板５の元部57の外側は、ベースプレート３の隅辺37dの縁38に開けられた窓37xに位置して、同縁38との当たりを避けている。
【００３０】
図３は、カム４が反時計回りに回動して（ステッピングモータ２によってモータ軸25で駆動されて）いる。これにより、カム４のアーム押し部41は、図の右側（小開口絞り板６側）を向いており、中開口絞り板６の元部67を押している。これにより、小開口絞り板６は、ピン65を中心に時計方向に回動している。そして、小開口絞り板６の小開口61は、光路開口31上に重なっており、最小の絞り状態となっている。なお、小開口絞り板６の元部67の外側は、ベースプレート３の隅辺37gの縁38に開けられた窓37yに位置して、同縁38との当たりを避けている。
【００３１】
なお、カム４の回転は、一方向（例えば時計回り）でも光絞り開口アームの切り替えが可能である。
【図１】
2016126035.tif 000003
【図２】
2016126035.tif 000004
【図３】
2016126035.tif 000005
【図４】
2016126035.tif 000006
【図５】
2016126035.tif 000007